(57)【要約】【課題】光、電磁波、電流の状態を制御して気体、液体状の物質の化学的性質をかえる方法として静電磁場を使用しない方法を開発する。【解決手段】金属が放射する物質波を光、電磁波、電流に作用させて状態を変えるためには物質波の作用を増幅する必要がある。その手段として複数物質波の共鳴現象の利用を考えた。ニッケル線、銅線、アルミニウム線からなる３線撚り金属線をコイルに巻く。このコイル中を通過した光、電磁波、電流はビートにより増幅された物質波の作用をうけて状態が変わる。例えば、この光の照射をうけた水は酸素の溶解度がます。水酸化鉄の生成が阻害される。組み合わせをかえることにより作用を変えることができる。【選択図】図３
2006261079.tif 000002
【特許請求の範囲】
【請求項１】
線径が０．００１−１０ｍｍの範囲にある強磁性体金属線、反磁性体金属線、常磁性体金属線のなかで強磁性体金属線、および反磁性体金属線を含む２種類以上の金属線を撚った撚り金属線。
【請求項２】
請求項１において強磁性体金属線を鉄線、またはニッケル線のどちらか、反磁性体金属線を銅線、常磁性体金属線をアルミニウム線とした３種類の金属線からなる３線撚り金属線。
【請求項３】
請求項１において強磁性体金属線を鉄線、もしくはニッケル線、反磁性体金属線を銅線とした２種類の金属線からなる２線撚り金属線。
【請求項４】
請求項２、および請求項３のいずれかの撚り金属線を１回以上コイル状に巻いたコイル。
【請求項５】
請求項４のコイル複数個を連結して平面状に配置した平面コイル。
【請求項６】
請求項２、または請求項３のいずれかの撚り金属線を素線として編まれた網。
【請求項７】
絶縁被覆電線の外面に請求項４のコイルが巻かれていることを特徴とする絶縁被覆電線、該絶縁被覆電線を電磁波、赤外線、光、紫外線、Ｘ線を放射する電気品に電力を供給する電力線として使用する方法。
【請求項８】
請求項４のコイルが外周面に巻かれていることを特徴とする容器。
【請求項９】
請求項４のコイルを通過した電磁波、赤外線、光、紫外線、Ｘ線を対象とする液体に照射する方法、および装置。
【請求項１０】
請求項２の３線撚り金属線、および請求項３の２線撚り金属線のいずれかを電流を搬送する導体として使用した電線。
【発明の詳細な説明】
【技術分野】
【０００１】  本発明は金属が放射している物質波を利用したものである。３種類の金属線、例えば強磁性体であるニッケル線、反磁性体である銅線、常磁性体であるアルミニウム線を三つ編みした３線撚り金属線を１回以上巻きコイルにする。その断面を通過する光、電磁波は３種類の金属がだす物質波の合成波と共鳴する。その結果、光の化学的性質が変わる。電流もポインティングベクトルとして考えれば同じである。したがってコイルにより電流の状態も変わる。結果、電流が光に転換したとき、光の化学的作用がかわる。
【背景技術】
【０００２】  非対称性静電磁場を利用して流体状の物質、電磁波、光、電流の状態をかえることが出来ることを本発明者は発見した。また、磁極面、電極面に密着した金属板の材質により静電磁場の化学的作用が変化することも実験より確認した。静電磁場の化学的作用は金属原子の核スピン、電子スピンに影響されている。つまり、金属が放射する物質波を利用すれば静電磁場を使用せず電磁波、光、電流の状態を変えることが可能であることを示している。静電磁場を使用する方法は磁場と電場を必要とするため使用場所に制限がある。静電場、磁場を使用することなしに光、電磁波、電流の状態を制御できれば用途を拡大できる。【０００３】  物質波との関連からマグネトンのスピン状態が異なる強磁性体金属、反磁性体金属、常磁性体金属の組み合わせを考えた。強磁性体金属としては鉄、ニッケル、コバルト、反磁性体金属としては銅、ビスマス、金、銀、常磁性体金属としてはアルミニウム、白金、マンガン等がある。目的に応じて数多い組み合わせが利用できる。【０００４】  強磁性体金属線である鉄線、またはニッケル線と反磁性体金属線である銅線を撚った、すなわちツイストした２線撚り金属線にも同じ効果があることを確認している。
【発明の開示】
【発明が解決しようとする課題】
【０００５】  静電磁場を使用できない場所、装置においても電流、電磁波、光の状態を変える必要がある。家庭で使用する場合、１０００Ｖ以上の電圧、１００ｍＴ以上の磁石からなる静電磁場で直接的に太陽光、照明灯の光の状態を制御するには十分な注意が必要となる。大口径の面状発光体、発熱体の光の状態を変える静電磁場装置は製作が難しい。
【課題を解決するための手段】
【０００６】  強磁性体と反磁性体とではマグネトンのスピンは反転している。強磁性体である鉄、またはニッケルと反磁性である銅が密着しているとき、境界面でスピン反転にともなうスピン波の生成が考えられる。常磁性体のアルミニウムが出す物質波を搬送波として組み合せる。光、電磁波、電流は搬送波にのったスピン波との相互作用により状態がかわる。結果、それらの化学的作用が変わる。具体的にはニッケル線、銅線、アルミニウム線を三つ編みして細長い帯状の３線撚り金属線にした後、コイルに巻く。このコイルを通過した光、電磁波を水に照射したとき、水の状態が異なることを実験で確認した。【０００７】  強磁性体である鉄線、またはニッケル線のいずれかと反磁性体である銅線を撚った２線撚り金属線も実験した。密着した状態で使えば、この２線撚り金属線も光、電磁波、電流に対して十分に効果があることが分かった。同種金属２線ツイスト線は幾何学的非対称性を利用したもので、誘導の影響を相殺している。異種金属２線ツイスト線は材質的非対称性を導入している。異種金属３線の三つ編み線も幾何学的、材質的非対称性が保持されている。この幾何学的非対称性と材質的非対称性の導入がスピン波を顕在化して電流、電磁波、光に影響をあたえている。図１はニッケル線、または鉄線、銅線、アルミニウム線からなるを３線、および２線撚り金属線を例示している。本発明においては異種金属３線を三つ編みした金属線も３線撚り金属線に含まれている。
【発明の効果】
【０００８】  静電磁場を応用した方法とことなり磁石、電源を必要としない。したがって、使用する場所に制限がない。
【発明を実施するための最良の形態】
【０００９】  鉄線、またはニッケル線のどちらか、銅線、アルミニウム線の３種類の金属線を三つ編して３線撚り金属線、または２線撚り金属線にする。この撚り金属線をコイルにする。また、対象物の周囲に巻きつけてコイルにする。素線自体を細い線からなる撚り線にすると素線径を大きくできる。
【実施例１】
【００１０】  図２は電流が本発明のコイルを通過すると状態が変わることを確認した実験の例示である。線径が２ｍｍのニッケル線１、銅線２、アルミニウム線３からなる３線撚り金属線５を電気コンロ用絶縁被覆電線１３に巻きコイル６とする。電気コンロ１６により３角フラスコ１７の精製水を７分間加熱したのち、開放状態で４時間放置して室温に冷却するとともに水中の酸素の溶解度が飽和するようにした。比較としてコイル６が巻かれていない通常の絶縁被覆電線１３を使用した実験も同時に行った。３角フラスコ１７の精製水の溶存酸素量を測定した。コイル６付き絶縁被覆電線１３の精製水は５ｍｇ／ｌ，コイル６なしのそれは７ｍｇ／ｌであった。さらに、１ｇのスチールたわし１５を浸漬したのちゴム栓１４をして密封状態にし、水酸化鉄の生成反応を観察した。数時間経過すると両者に明瞭な色の違いがでた。コイル付き絶縁被覆電線１３の精製水が明瞭に薄い。沈殿量も少ない。ニッケル線１の代りに鉄線４を使用した３線撚り金属線コイル８でも同様な結果をえた。
【実施例２】
【００１１】  図３は３線撚り金属線コイル８を通過した光の実験に関連する。精製水をいれた２つの３角フラスコ１７を準備する。この２つの３角フラスコ１７は開放状態のまま太陽光を２時間照射する。この時、一つの３角フラスコ１７の上空にコイル８を置き、コイル８を通過した光が３角フラスコ１７中の水を照射するようにする。その後、３角フラスコ１７に１ｇのスチールたわし１５を入れ、ゴム栓１４をする。コイル８はそのままにして水酸化鉄の生成の違いを観察した。コイル８あり３角フラスコ１７の精製水の色が常に薄く、沈殿量も少ない。スチールたわし１５入れる直前に、コイル８を外し、２つの３角フラスコ１７を光学的に同一条件にして色の比較をした。結果、色の違いが反転した。この反転は太陽光の化学的性質がコイルにより変わることの証明である。白熱電球の光を使って実験したが、太陽光の場合と同様であった。
【実施例３】
【００１２】  図５は撚り金属線網を面光源への適用法を例示する。面光源として蛍光灯を取り上げた。蛍光灯２０の笠２１の下部に２線撚り金属線１１を編んで作った網１２をとりつける。蛍光灯２０の光は網の目を通過した後、照射される。なおコイル、例えば、複数のコイル６を使って面光源をカバーするように配置してもよい。
【実施例４】
【００１３】  図６は撚り金属線コイル１０をペットボトル２３に巻いて中の飲料水を還元状態にする方法の例示である。
【実施例５】
【００１４】  線径と撚り金属線の作用の関係を０．１−２ｍｍ範囲で実験した。図４はその説明図である。白熱電球１８の光を集光する凹面反射板鏡１９の前に３線撚り金属線５を１回巻いたコイル６を置く。白熱電球１８の光の殆どがこのコイルの断面を通過する。遮光筒２２と凹面反射鏡１９は密着しており、外光は遮断されている。素線径を０．１ｍｍ、１ｍｍ、２ｍｍと変えて線径の影響を確認した。結果、コイル６の作用には線径（断面積）依存性があることが分かった。
【実施例６】
【００１５】被覆絶縁電線の外面に３線撚り金属線をまきつける代りに、２芯線を２線撚り金属線９、および１１にして電流を白熱電球に供給、光の状態の違いを観測した。光の状態は銅線を芯線とする被覆電線と異なることが確認できた。
【産業上の利用可能性】
【００１６】  光の化学的性質を変えることができるため、様々な分野で利用可能となる。例えば、健康産業、農業、光化学に新しい分野を開くことができる。
【図面の簡単な説明】
【００１７】
【図１】ニッケル線、または鉄線、銅線、アルミニウム線の３線撚り金属線、２線撚り金属線の説明図である。。
【図２】絶縁被覆電線に３線撚り金属線を巻き付けてコイルとした効果の説明図である。
【図３】３線撚り金属線が太陽光にあたえる作用実験の説明図である。
【図４】３線撚り金属線の作用と線径の影響に関する実験の説明図である。
【図５】面状光源に２線撚り金属線網取り付ける方法の説明図である
【図６】ペットボトルにコイル巻くことで水を還元性にする方法の説明図である。
【符号の説明】
【００１８】１    ニッケル線
２    銅線
３    アルミニウム線
４    鉄線
５    ニッケル線、銅線、アルミニウム線の３線撚り金属線
６    ３線撚り金属線５のコイル
７    鉄線、銅線、アルミニウム線の３線撚り金属線
８    ３線撚り金属線７のコイル
９    ニッケル線、銅線の２線撚り金属線
１０  ２線撚り金属線９のコイル
１１  鉄線、銅線の２線撚り金属線
１２  ２線撚り金属線の網
１３  絶縁被覆電線
１４  ゴム栓
１５  スチールたわし
１６  電気コンロ
１７  ３角フラスコ
１８  白熱電球
１９  凹面反射鏡
２０  蛍光灯
２１  笠
２２  遮光筒
２３  ペットボトル
２４  ＡＣ電源
【図１】
2006261079.tif 000003
【図２】
2006261079.tif 000004
【図３】
2006261079.tif 000005
【図４】
2006261079.tif 000006
【図５】
2006261079.tif 000007
【図６】
2006261079.tif 000008